【手続補正書】
【提出日】平成21年10月24日(2009.10.24)
【手続補正１】
【補正対象書類名】特許請求の範囲
【補正対象項目名】全文
【補正方法】変更
【補正の内容】
【特許請求の範囲】
【請求項１】
患者を治療するための磁気刺激装置によって引き起こされる不快感を軽減するための装置であって、
前記磁気刺激装置と前記患者の頭部との間に配置される磁性材料を有し、
前記磁性材料は前記磁気刺激装置によって生成される磁場の一部を再分布し、前記磁気刺激装置によって生成される刺激を軽減するものである
装置。
【請求項２】
請求項１に記載の装置において、前記磁気刺激装置は前記患者の頭部の近接部にあり、且つ前記磁気刺激装置は前記患者の脳を治療するものである。
【請求項３】
請求項１に記載の装置において、前記磁性材料は１より多くの構成要素を有するものである。
【請求項４】
請求項１に記載の装置において、前記磁性材料は前記患者の頭部に装着されるものである。
【請求項５】
請求項１に記載の装置において、前記磁性材料は前記磁気刺激装置に取り付けられるものである。
【請求項６】
請求項１に記載の装置において、前記磁性材料は前記磁気刺激装置内に配置されるものである。
【請求項７】
請求項１に記載の装置において、前記磁性材料は、前記磁気刺激装置の製造工程中に当該磁気刺激装置内に含められるものである。
【請求項８】
請求項１に記載の装置において、前記磁性材料は導線形状を有するものである。
【請求項９】
請求項１に記載の装置において、前記磁性材料は、前記磁気刺激装置の全長に渡る弧状の構造を有するものである。
【請求項１０】
請求項１に記載の装置において、前記磁性材料は、前記患者の治療部位の形状に合致するものである。
【請求項１１】
請求項１に記載の装置において、前記磁性材料は長方形である。
【請求項１２】
請求項１に記載の装置において、前記磁性材料はシート材である。
【請求項１３】
請求項１に記載の装置において、前記磁性材料は、前記磁気刺激装置によって生成される磁場の一部を吸収するものである。
【請求項１４】
請求項１に記載の装置において、前記磁性材料は前記磁気刺激装置によって生成される磁束線を再分布するものであり、前記再分布される磁束線は表面に近接する組織の刺激を防ぐものである。
【請求項１５】
請求項１４に記載の装置において、前記磁性材料は、治療目的のために他の磁束線が前記患者の内部により深く浸透することを可能にするものである。
【請求項１６】
請求項１に記載の装置において、前記磁性材料の位置は、要求される刺激軽減、前記患者の治療される生体構造の部位、および治療目的のための磁場の望ましい強度のうちの少なくとも１つに応じて調整可能なものである。
【請求項１７】
請求項１６に記載の装置において、前記磁性材料の位置は、前記患者により近い位置、前記磁気刺激装置により近い位置、および治療領域に沿って横に移動した位置のうちの少なくとも１つを含むものである。
【請求項１８】
請求項１に記載の装置において、前記磁性材料は、フェライト材、渦電流によって生じる加熱をより低減するための分散された空隙を有するコア構造を有する粉末状鉄材料、およびフェライト材と非フェライト材との組み合わせのうちの少なくとも１つを有するものである。
【請求項１９】
請求項１に記載の装置において、他の構成要素は、前記磁性材料によって生成され前記磁気刺激装置に向かう磁場を減衰するために用いられるものである。
【請求項２０】
請求項１に記載の装置において、前記減衰は、前記磁気刺激装置から前記磁性材料への磁場の移動を可能にし、前記磁性材料から前記磁気刺激装置へ移動する磁場を減衰するために、実質的に一方的なものである。
【請求項２１】
請求項１に記載の装置において、前記磁性材料の下方の磁束線は、前記患者から離れる方向および前記磁性材料に近づく方向に方向転換されるものである。
【請求項２２】
請求項１に記載の装置において、前記磁性材料により前記患者の近接部における磁場は増加し、且つ治療対象となる前記患者の生体構造内の磁場は抑制されないものである。
【請求項２３】
請求項１に記載の装置において、治療領域は脳の一部であり、刺激が軽減される領域は前記治療領域に対して皮膚に近接した領域である。
【請求項２４】
請求項１に記載の装置において、前記磁性材料は、直径０．１インチ、長さ３インチの鋼線ケーブルを３つ有するものである。
【請求項２５】
請求項１に記載の装置において、前記磁性材料の比較的長い寸法は、前記磁気刺激装置によって誘導される電場ベクトルと同様の方向に沿って配置されるものである。
【請求項２６】
請求項１に記載の装置において、この装置は、さらに、
前記磁気刺激装置に対して周辺に配置される少なくとも１つの導体を有するものであり、この導体は、前記磁気刺激装置によって誘導される表面近接部の刺激を軽減するようなっているものである。
【請求項２７】
請求項２６に記載の装置において、前記導体は、前記磁気刺激装置によって誘導される表面近接部の刺激を軽減するための特定の物理的特性および電気特性を有するものである。
【請求項２８】
請求項２７に記載の装置において、前記物理的特性および電気特性は、伝導性、インダクタンス、長さ、幅、縦横比、および表面積のうちの少なくとも１つを含むものである。
【請求項２９】
請求項２６に記載の装置において、前記導体は、前記磁気刺激装置によって誘導される治療刺激を無視するようになっているものである。
【請求項３０】
請求項２６に記載の装置において、前記導体は、磁気刺激装置と患者との間に配置されるものである。
【請求項３１】
請求項２６に記載の装置において、前記導体は柔軟性回路パッドに取り付けられるものである。
【請求項３２】
請求項２６に記載の装置において、前記導体は平らな金属性装置である。
【請求項３３】
請求項２６に記載の装置において、前記導体は１平方センチメートル〜４０平方センチメートルの面積を有するものである。
【請求項３４】
請求項２６に記載の装置において、前記導体は、前記磁気刺激装置に電気エネルギーが提供されるのと実質的に同時に電気エネルギーを提供されるものである。
【請求項３５】
請求項３４に記載の装置において、前記導体に提供される電気エネルギーおよび前記磁気刺激装置に提供される電気エネルギーは異極性のものである。
【請求項３６】
請求項３４に記載の装置において、前記導体に提供される電気エネルギーは、前記磁気刺激装置に提供される電圧から生じる電流である。
【手続補正２】
【補正対象書類名】明細書
【補正対象項目名】０００８
【補正方法】変更
【補正の内容】
【０００８】
従って、電気刺激によって引き起こされる不快感を軽減するための技術を開発することが望ましい。
この出願の発明に関連する先行技術文献情報としては、以下のものがある（国際出願日以降国際段階で引用された文献及び他国に国内移行した際に引用された文献を含む）。
【特許文献１】米国特許第６，４０２，６７８号明細書
【特許文献２】米国特許第５，１１６，３０４号明細書
【特許文献３】米国特許第４，９９４，０１５号明細書
【特許文献４】米国特許第６，１７９，７７１号明細書
【特許文献５】米国特許第６，１７９，７６９号明細書
【特許文献６】米国特許出願公開第２００１／００３１９０６号明細書
【特許文献７】米国特許出願公開第２００２／００８７２０１号明細書
【特許文献８】米国特許出願公開第２００２／０１０３５１５号明細書
【特許文献９】米国特許第５，０７８，６７４号明細書
【特許文献１０】米国特許出願公開第２００３／０１３０７０６号明細書
【特許文献１１】国際公開第０２／０３２５０４号
【特許文献１２】国際公開第０２／０９４９９７号
【特許文献１３】国際公開第０２／０８５４４９号
【特許文献１４】国際公開第０２／０９８１１号
【特許文献１５】欧州特許第１，２７３，３２０号明細書
【特許文献１６】米国特許出願公開第２００２／００９１４１９号明細書
【特許文献１７】米国特許出願公開第２００３／０００４３９２号明細書
【特許文献１８】米国特許出願公開第２００３／００２３１５９号明細書
【特許文献１９】米国特許出願公開第２００３／００２８０７２号明細書
【特許文献２０】米国特許出願公開第２００３／００８８２７４号明細書
【特許文献２１】米国特許出願公開第２００３／００９７１６１号明細書
【特許文献２２】米国特許第６，１９８，９５８号明細書
【特許文献２３】米国特許出願公開第２００３／０１９５５８８号明細書
【特許文献２４】米国特許出願公開第２００３／０２０４１３５号明細書
【特許文献２５】米国特許第６，６６３，５５６号明細書
【特許文献２６】国際公開第０２／０８９９０２号
【特許文献２７】国際公開第０３／０３５１６３号
【特許文献２８】国際公開第０１／９７９０６号
【特許文献２９】国際公開第９９／６４８８４号
【特許文献３０】国際公開第０２／０８５４５４号
【特許文献３１】米国特許出願公開第２００４／００１０１７７号明細書
【特許文献３２】米国特許第６，５０３，１８７号明細書
【特許文献３３】米国特許第６，４８４，０５９号明細書
【特許文献３４】米国特許第６，４６３，３２８号明細書
【特許文献３５】米国特許第６，５７１，１２３号明細書
【特許文献３６】米国特許出願公開第２００３／００７３８９９号明細書
【特許文献３７】米国特許第６，５１６，２８８号明細書
【特許文献３８】米国特許第６，５６０，４９０号明細書
【特許文献３９】米国特許第６，２５６，５３１号明細書
【特許文献４０】米国特許第６，４８８，６１７号明細書
【特許文献４１】国際公開第０２／０７２１９４号
【特許文献４２】国際公開第０１／１２２３６号
【特許文献４３】国際公開第０２／３１６０４号
【特許文献４４】国際公開第０１／２８６２２号
【特許文献４５】国際公開第００／７４７７７号
【特許文献４６】米国特許第６，３６６，８１４号明細書
【特許文献４７】米国特許第６，２５３，１０９号明細書
【特許文献４８】米国特許第６，１１７，０６６号明細書
【特許文献４９】米国特許第５，７０７，３３４号明細書
【特許文献５０】米国特許第４，７１２，５５８号明細書
【特許文献５１】米国特許第６，０６６，０８４号明細書
【特許文献５２】米国特許第６，５６７，７０２号明細書
【特許文献５３】米国特許出願公開第２００２／００１３６１２号明細書
【特許文献５４】米国特許出願公開第２００２／０１６９３５５号明細書
【特許文献５５】米国特許出願公開第２００３／００５０５２７号明細書
【特許文献５６】国際公開第０３／０９０６０４号
【特許文献５７】国際公開第０３／０９８２６８号
【特許文献５８】国際公開第０３／０８４６０５号
【特許文献５９】国際公開第０３／０８５５４６号
【特許文献６０】国際公開第０３／０３９４６８号
【特許文献６１】米国特許第６，５７２，５２８号明細書
【特許文献６２】米国特許出願公開第２００３／００７４０３２号明細書
【特許文献６３】米国特許出願公開第２００３／０１２５７８６号明細書
【特許文献６４】米国特許第５，８１３，９７０号明細書
【特許文献６５】米国特許第５，７６９，７７８号明細書
【特許文献６６】米国特許第６，１６９，９６３号明細書
【特許文献６７】米国特許出願公開第２００２／０１６０４３６号明細書
【特許文献６８】米国特許出願公開第２００２／０１２３７８０号明細書
【特許文献６９】米国特許第４，９９５，３９５号明細書
【特許文献７０】米国特許第６，５３７，１９７号明細書
【特許文献７１】国際公開第０３／０８２４０５号
【特許文献７２】国際公開第２００４／００６７５０号
【特許文献７３】米国特許第６，１５５，９６６号明細書
【特許文献７４】米国特許第６，０５７，３７３号明細書
【特許文献７５】米国特許出願公開第２００３／００８７２６４号明細書
【特許文献７６】米国特許出願公開第２００３／００８２５０７号明細書
【特許文献７７】米国特許出願公開第２００４／０１３８５５０号明細書
【特許文献７８】米国特許出願公開第２００４／０１４３３００号明細書
【特許文献７９】米国特許出願公開第２００４／０１５３１２９号明細書
【特許文献８０】米国特許出願公開第２００４／０１２７９４２号明細書
【特許文献８１】米国特許出願公開第２００４／００７７９２１号明細書
【特許文献８２】米国特許出願公開第２００５／００２１１０４号明細書
【特許文献８３】米国特許第３，６８３，９２３号明細書
【特許文献８４】米国特許第５，０９７，８３３号明細書
【特許文献８５】米国特許第５，２９９，５６９号明細書
【特許文献８６】米国特許第６，３８９，３１８号明細書
【特許文献８７】米国特許第６，４８０，７４３号明細書
【特許文献８８】米国特許第６，４９７，６４８号明細書
【特許文献８９】米国特許第６，８２７，６８１号明細書
【特許文献９０】国際公開第２００４／０８２７５９号
【特許文献９１】国際公開第２００５／０００４０１号
【特許文献９２】米国特許出願公開第２００５／０１２４８４８号明細書
【特許文献９３】米国特許第５，１５４，７２３号明細書
【特許文献９４】米国特許第５，５６６，６８１号明細書
【特許文献９５】米国特許第６，６１８，６１４号明細書
【特許文献９６】米国特許第６，８４９，０４０号明細書
【特許文献９７】米国特許第５，２９９，５６９号明細書
【特許文献９８】米国特許出願公開第２００４／００７７９２１号明細書
【特許文献９９】米国特許第６，４９７，６４８号明細書
【特許文献１００】米国特許第６，３８９，３１８号明細書
【特許文献１０１】国際公開第０４／１００７６５号
【特許文献１０２】国際公開第０５／０６５７６８号
【特許文献１０３】米国特許第５，０９７，８３３号明細書
【特許文献１０４】米国特許第３，６８３，９２３号明細書
【特許文献１０５】米国特許第４，６０１，７５３号明細書
【特許文献１０６】米国特許出願公開第２００５／０２２８２０９号明細書
【特許文献１０７】米国特許出願公開第２００５／０２５６５３９号明細書
【特許文献１０８】米国特許出願公開第２００５／０２１６０７１号明細書
【特許文献１０９】米国特許第６，６２９，９３５号明細書
【特許文献１１０】米国特許第６，９７８，１７９号明細書
【特許文献１１１】米国特許第７，１５３，２５６号明細書
【特許文献１１２】米国特許第７，３２０，６６４号明細書
【特許文献１１３】米国特許第６，９２６，６６０号明細書
【特許文献１１４】米国特許出願公開第２００４／０２０４６２５号明細書
【特許文献１１５】米国特許第６，４２５，８５２号明細書
【非特許文献１】Ｂａｕｄｅｗｉｇ，  Ｊ．  ｅｔ  ａｌ．，”ＦＵＮＣＴＩＯＮＡＬ  ＭＲＩ  ｏｆ  Ｃｏｒｔｉｃａｌ  Ａｃｔｉｖａｔｉｏｎｓ  Ｉｎｄｕｃｅｄ  ｂｙ  Ｔｒａｎｓｃｒａｎｉａｌ  Ｍａｇｎｅｔｉｃ  Ｓｔｉｍｕｌａｔｉｏｎ（ＴＭＳ）”，  Ｂｒａｉｎ  Ｉｍａｇｉｎｇ−ＮｅｕｒｏＲｅｐｏｒｔ，  ２００１，  １２（１６），  ３５４３−３５４８
【非特許文献２】Ｂｏｈｎｉｎｇ，  Ｄ．Ｅ．  ｅｔ  ａｌ．，”Ａ  ＴＭＳ  Ｃｏｉｌ  Ｐｏｓｉｔｉｏｎｉｎｇ／Ｈｏｌｄｉｎｇ  Ｓｙｓｔｅｍ  ｆｏｒ  ＭＲ  Ｉｍａｇｅ−Ｇｕｉｄｅｄ  ＴＭＳ  Ｉｎｔｅｒｌｅａｖｅｄ  ｗｉｔｈ  ｆＭＲＩ”，  Ｃｌｉｎｉｃａｌ  Ｎｅｕｒｏｐｈｙｓｉｏｌｏｇｙ，  ２００３，  １１４，  ２２１０−２２１９
【非特許文献３】Ｂｏｈｎｉｎｇ，  Ｄ．Ｅ．  Ｐｈ．Ｄ．  ｅｔ  ａｌ．，”Ａ  Ｃｏｍｂｉｎｅｄ  ＴＭＳ／ｆＭＲＩ  Ｓｔｕｄｙ  ｏｆ  Ｉｎｔｅｎｓｉｔｙ−Ｄｅｐｅｎｄａｎｔ  ＴＭＳ  ｏｖｅｒ  Ｍｏｔｏｒ  Ｃｏｒｔｅｘ”，  Ｓｏｃｉｅｔｙ  ｏｆ  Ｂｉｏｌｏｇｉｃａｌ  Ｐｓｙｃｈｉａｔｒｙ，  １９９９，ｌ  ４５，  ３８５−３９４
【非特許文献４】Ｂｏｈｎｉｎｇ，  Ｄ．Ｅ．  Ｐｈ．Ｄ．  ｅｔ  ａｌ．，”ＢＯＬＤ−ｆＭＲＩ  Ｒｅｓｐｏｎｓｅ  ｔｏ  Ｓｉｎｇｌｅ−Ｐｕｌｓｅ  Ｔｒａｎｓｃｒａｎｉａｌ  Ｍａｇｎｅｔｉｃ  Ｓｔｉｍｕｌａｔｉｏｎ（ＴＭＳ）”，  Ｊｏｕｒｎａｌ  ｏｆ  Ｍａｇｎｅｔｉｃ  Ｒｅｓｏｎａｎｃｅ  Ｉｍａｇｉｎｇ，  ２０００，  １１，  ５６９−５７４
【非特許文献５】Ｇａｒｃｉａ−Ｔｏｒｏ，  Ｍ．  ｅｔ  Ａｌ．，”Ｍｏｄｅｓｔ  Ａｄｊｕｎｃｔｉｖｅ  Ｂｅｎｅｆｉｔ  ｗｉｔｈ  Ｔｒａｎｓｃｒａｎｉａｌ  Ｍａｇｎｅｔｉｃ  Ｓｔｉｍｕｌａｔｉｏｎ  ｉｎ  Ｍｅｄｉｃａｔｉｏｎ−Ｒｅｓｉｓｔａｎｔ  Ｄｅｐｒｅｓｓｉｏｎ”，  Ｊｏｕｒｎａｌ  ｏｆ  Ａｆｆｅｃｔｉｖｅ  Ｄｉｓｏｒｄｅｒｓ，  ２００１，  ６４，  ２７１−２７５
【非特許文献６】Ｇｅｏｒｇｅ，  Ｍ．Ｓ．  ｅｔ  ａｌ．，”Ａ  ｃｏｎｔｒｏｌｌｅｄ  Ｔｒｉａｌ  ｏｆ  Ｄａｉｌｙ  Ｌｅｆｔ  Ｐｒｅｆｒｏｎｔａｌ  Ｃｏｒｔｅｘ  ＴＭＳ  ｆｏｒ  Ｔｒｅａｔｉｎｇ  Ｄｅｐｒｅｓｓｉｏｎ”，  Ｓｏｃｉｅｔｙ  ｏｆ  Ｂｉｏｌｏｇｉｃａｌ  Ｐｓｙｃｈｉａｔｒｙ，  ２０００，  ４８，  ９６２−９７０
【非特許文献７】Ｇｅｏｒｇｅ，  Ｍ．Ｓ．”Ｎｅｗ  Ｍｅｔｈｏｄｓ  ｏｆ  Ｍｉｎｉｍａｌｌｙ  Ｉｎｖａｓｉｖｅ  Ｂｒａｉｎ  Ｍｏｄｕｌａｔｉｏｎ  ａｓ  Ｔｈｅｒａｐｉｅｓ  ｉｎ  Ｐｓｙｃｈｉａｔｒｙ：  ＴＭＳ，ＭＳＴ，ＶＮＳ  ａｎｄ  ＤＢＳ”，  Ｃｈｉｎｅｓｅ  Ｍｅｄｉｃａｌ  Ｊｏｕｒｎａｌ（Ｔａｉｐｅｉ），  ２００２，  ６５，  ３４９−３６０
【非特許文献８】Ｇｒａｆｍａｎ，  Ｊ．  Ｐｈ．Ｄ．，”ＴＭＳ  ａｓ  ａ  Ｐｒｉｍａｒｙ  Ｂｒａｉｎ  Ｍａｐｐｉｎｇ  Ｔｏｏｌ”  Ｔｒａｎｓｃｒａｎｉａｌ  Ｍａｇｎｅｔｉｃ  Ｓｔｉｍｕｌａｔｉｏｎ  ｉｎ  Ｎｅｕｒｏｐｓｙｃｈｉａｔｒｙ，  ２０００，  １１５−１４０
【非特許文献９】Ｎａｈａｓ，  Ｚ．  ｅｔ  ａｌ．，”Ｌｅｆｔ  Ｐｒｅｆｒｏｎｔａｌ  Ｔｒａｎｓｃｒａｎｉａｌ  Ｍａｇｎｅｔｉｃ  Ｓｔｉｍｕｌａｔｉｏｎ（ＴＭＳ）  Ｔｒｅａｔｍｅｎｔ  ｏｆ  Ｄｅｐｒｅｓｓｉｏｎ  ｉｎ  Ｂｉｐｏｌａｒ  Ａｆｆｅｃｔｉｖｅ  Ｄｉｓｏｒｄｅｒ：  Ａ  Ｐｉｌｏｔ  Ｓｔｕｄｙ  ｏｆ  Ａｃｕｔｅ  Ｓａｆｅｔｙ  ａｎｄ  Ｅｆｆｉｃａｃｙ”，  Ｂｉｐｏｌａｒ  Ｄｉｓｏｒｄｅｒｓ，  ２００３，  ５，  ４０−４７
【非特許文献１０】Ｌｉｓａｎｂｙ，  Ｓ．Ｈ．  ＭＤ．  ｅｔ  ａｌ．，”Ｍａｇｎｅｔｉｃ  Ｓｅｉｚｕｒｅ  Ｔｈｅｒａｐｙ  ｏｆ  Ｍａｊｏｒ  Ｄｅｐｒｅｓｓｉｏｎ”，  Ａｒｃｈ  Ｇｅｎ  Ｐｓｙｃｈｉａｔｒｙ，  ２００１，  ５８，  ３０３−３０７
【非特許文献１１】Ｌｉｓａｎｂｙ，  Ｓ．Ｈ．  ｅｔ  ａｌ．，”Ｓｈａｍ  ＴＭＳ：  Ｉｎｔｒａｃｅｒｅｂｒａｌ  Ｍｅａｓｕｒｅｍｅｎｔ  ｏｆ  ｔｈｅ  Ｉｎｄｕｃｅｄ  Ｅｌｅｃｔｒｉｃａｌ  Ｆｉｅｌｄ  ａｎｄ  ｔｈｅ  Ｉｎｄｕｃｔｉｏｎ  ｏｆ  Ｍｏｔｏｒ−Ｅｖｏｋｅｄ  Ｐｏｔｅｎｔｉａｌｓ”，  Ｓｏｃｉｅｔｙ  ｏｆ  Ｂｉｏｌｏｇｉｃａｌ  Ｐｓｙｃｈｉａｔｒｙ，  ２００１，  ４９，  ４６０−４６３
【非特許文献１２】Ｌｉｓａｎｂｙ，  Ｓ．Ｈ．，”Ｓａｆｅｔｙ  ａｎｄ  Ｆｅａｓｉｂｉｌｉｔｙ  ｏｆ  Ｍａｇｎｅｔｉｃ  Ｓｅｉｚｕｒｅ  Ｔｈｅｒａｐｙ  （ＭＳＴ）  ｉｎ  Ｍａｊｏｒ  Ｄｅｐｒｅｓｓｉｏｎ：  Ｒａｎｄｏｍｉｚｅｄ  Ｗｉｔｈｉｎ−Ｓｕｂｊｅｃｔ  Ｃｏｍｐａｒａｓｉｏｎ  ｗｉｔｈ  Ｅｌｅｃｔｒｏｃｏｎｖｕｌｓｉｖｅ  Ｔｈｅｒａｐｙ”，  Ｎｅｕｒｏｐｓｙｃｈｏｐｈａｒｍａｃｏｌｏｇｙ，  Ｎｅｗ  Ｙｏｒｋ  Ｓｔａｔｅ  Ｐｓｙｃｈｉａｔｒｉｃ  ｉｎｓｔｉｔｕｔｅ，  ２００３，  ２８，  １８５２−１８６５
【非特許文献１３】Ｌｉｓａｎｂｙ，  Ｓ．Ｈ．，”Ｕｐｄａｔｅ  ｏｎ  Ｍａｇｎｅｔｉｃ  Ｓｅｉｚｕｒｅ  Ｔｈｅｒａｐｙ：  Ａ  Ｎｏｖｅｌ  Ｆｏｒｍ  ｏｆ  Ｃｏｎｖｕｌｓｉｖｅ  Ｔｈｅｒａｐｙ”，  Ｔｈｅ  Ｊｏｕｒｎａｌ  ｏｆ  ＥＣＴ，  ２００２，  １８，  １８２−１８８
【非特許文献１４】Ｌｏｒｂｅｒｂａｕｍ，  Ｊ．Ｐ．，  Ｍ．Ｄ．  ｅｔ  ａｌ．，”Ｓａｆｅｔｙ  Ｃｏｎｃｅｒｎｓ  ｏｆ  ＴＭＳ”，  Ｔｒａｎｓｃｒａｎｉａｌ  Ｍａｇｎｅｔｉｃ  Ｓｔｉｍｕｌａｔｉｏｎ  ｉｎ  Ｎｅｕｒｏｐｓｙｃｈｉａｔｒｙ，  ２０００，  １４１−１６１
【非特許文献１５】Ｌｏｏ，  Ｃ．Ｋ．  ｅｔ  ａｌ．，”Ｔｒａｎｓｃｒａｎｉａｌ  Ｍａｇｎｅｔｉｃ  Ｓｔｉｍｕｌａｔｉｏｎ  （ＴＭＳ）  ｉｎ  Ｃｏｎｔｒｏｌｌｅｄ  Ｔｒｅａｔｍｅｎｔ  Ｓｔｕｄｉｅｓ：  Ａｒｅ  Ｓｏｍｅ  ”Ｓｈａｍ”  Ｆｏｒｍｓ  Ａｃｔｉｖｅ？”，  Ｓｏｃｉｅｔｙ  ｏｆ  Ｂｉｏｌｏｇｉｃａｌ  Ｐｓｙｃｈｉａｔｒｙ，  ２０００，  ４７，  ３２５−３３１
【非特許文献１６】Ｎｈａｓ，  Ｚ．  ｅｔ  ａｌ．，”Ｕｎｉｌａｔｅｒａｌ  Ｌｅｆｔ  Ｐｒｅｆｒｏｎｔａｌ  Ｔｒａｎｓｃｒａｎｉａｌ  Ｍａｇｎｅｔｉｃ  Ｓｔｉｍｕｌａｔｉｏｎ  （ＴＭＳ）  Ｐｒｏｄｕｃｅｓ  Ｉｎｔｅｎｓｉｔｙ−Ｄｅｐｅｎｄｅｎｔ  Ｂｉｌａｔｅｒａｌ  Ｅｆｆｅｃｔｓ  ａｓ  Ｍｅａｓｕｒｅｄ  ｂｙ  Ｉｎｔｅｒｌｅａｖｅｄ  ＢＯＬＤ  ｆＭＲＩ”，  Ｓｏｃｉｅｔｙ  ｏｆ  Ｂｉｏｌｏｇｉｃａｌ  Ｐｓｙｃｈｉａｔｒｙ，  ２００１，  ５０，  ７１２−７２０
【非特許文献１７】Ｐｒｉｄｍｏｒｅ，  Ｓ．，”Ｓｕｂｓｔｉｔｕｔｉｏｎ  ｏｆ  Ｒａｐｉｄ  Ｔｒａｎｓｃｒａｎｉａｌ  Ｍａｇｎｅｔｉｃ  Ｓｔｉｍｕｌａｔｉｏｎ  Ｔｒｅａｔｍｅｎｔｓ  ｆｏｒ  Ｅｌｅｃｔｒｏｃｏｎｖｕｌｓｉｖｅ  Ｔｈｅｒａｐｙ  Ｔｒｅａｔｍｅｎｔｓ  ｉｎ  ａ  Ｃｏｕｒｓｅ  ｏｆ  Ｅｌｅｃｔｒｏｃｏｎｖｕｌｓｉｖｅ  Ｔｈｅｒａｐｙ”，  ｄｅｐｒｅｓｓｉｏｎ  ａｎｄ  Ａｎｘｉｅｔｙ，  ２０００，  １２，  １１８−１２３
【非特許文献１８】Ｒｏｔｈ，  Ｙ．  ｅｔ  ａｌ．，”Ａ  Ｃｏｉｌ  Ｄｅｓｉｇｎ  ｆｏｒ  Ｔｒａｎｓｃｒａｎｉａｌ  Ｍａｇｎｅｔｉｃ  Ｓｔｉｍｕｌａｔｉｏｎ  ｏｆ  Ｄｅｅｐ  Ｂｒａｉｎ  Ｒｅｇｉｏｎｓ”，  Ｊｏｕｒｎａｌ  ｏｆ  Ｃｌｉｎｉｃａｌ  Ｎｅｕｒｏｐｈｙｓｉｏｌｏｇｙ，  ２００２，  １９（４），  ３６１−３７０
【非特許文献１９】Ｒｕｏｈｏｎｅｎ，  Ｊ．，”Ｅｌｅｃｔｒｏｅｎｃｅｐｈａｌｏｇｒａｐｈｙ  Ｃｏｍｂｉｎｅｄ  ｗｉｔｈ  ＴＭＳ”，  ＢｉｏＭａｇ  Ｌａｂｏｒａｔｏｒｙ，  Ｈｅｌｓｉｎｋｉ  Ｕｎｉｖｅｒｓｉｔｙ  Ｃｅｎｔｒａｌ  Ｈｏｓｐｉｔａｌ，  ｈｔｔｐ：／／ｗｗｗ．ｂｉｏｍａｇ．ｈｅｌｓｉｎｋｉ．ｆｉ／ｔｍｓ／ＴＭＳＥＥＧ．ｈｔｍｌ．，  Ｏｃｔｏｂｅｒ  ６，  １９９９，  ２２  ｐａｇｅｓ
【非特許文献２０】Ｔｅｒｒａｃｅ，  Ｈ．Ｓ．  ｅｔ  ａｌ．，”Ｔｈｅ  Ｃｏｇｎｉｔｉｖｅ  Ｅｆｆｅｃｔｓ  ｏｆ  Ｅｌｅｃｔｒｏｃｏｎｖｕｌｓｉｖｅ  Ｓｈｏｃｋ  ａｎｄ  ｍａｇｎｅｔｉｃ  Ｓｅｉｚｕｒｅ  Ｔｈｅｒａｐｙ  ｉｎ  Ｒｈｅｓｕｓ  Ｍｏｎｋｅｙｓ”，  Ｓｏｃｉｅｔｙ  ｆｏｒ  Ｎｅｕｒｏｓｃｉｅｎｃｅ  Ａｂｓｔｒａｃｔ  Ｖｉｅｗｅｒ  ａｎｄ  Ｉｔｉｎｅｒａｒｙ  Ｐｌａｎｎｅｒ，  ２００２，  ＡＢＳＴＲＡＣＴ  ＯＮＬＹ  ＃１８４．１４
【非特許文献２１】Ｔｅｒｒａｃｅ，  Ｈ．Ｓ．  ｅｔ  ａｌ．，”Ｔｈｅ  Ｃｏｇｎｉｔｉｖｅ  Ｅｆｆｅｃｔｓ  ｏｆ  Ｅｌｅｃｔｒｏｃｏｎｖｕｌｓｉｖｅ  Ｓｈｏｃｋ  Ｓｔｉｍｕｌａｔｉｏｎ  ａｎｄ  Ｍａｇｎｅｔｉｃ  Ｓｅｉｚｕｒｅ  Ｔｈｅｒａｐｙ  ｉｎ  Ｒｈｅｓｕｓ  Ｍｏｎｋｅｙｓ”，  Ｓｏｃｉｅｔｙ  ｆｏｒ  Ｎｅｕｒｏｓｃｉｅｎｃｅ  Ａｂｓｔｒａｃｔｓ，  ２００１，  ２７（１），  ５３６．７，  ｐｇ１４１８
【非特許文献２２】Ｔｒｉｖｅｄｉ，  Ｍ．Ｈ．，  ＭＤ．，”Ｔｒｅａｔｍｅｎｔ−Ｒｅｓｉｓｔａｎｔ  Ｄｅｐｒｅｓｓｉｏｎ：  Ｎｅｗ  Ｔｈｅｒａｐｉｅｓ  ｏｎ  ｔｈｅ  Ｈｏｒｉｚｏｎ”，  Ａｎｎａｌｓ  ｏｆ  Ｃｌｉｎｉｃａｌ  Ｐｓｙｃｈｉａｔｒｙ，  ２００３，  １５（１），  ５９−７０
【非特許文献２３】Ｈｅｓｓ，  Ｃ．Ｗ．  ｅｔ  ａｌ．，”Ｍａｇｎｅｔｉｃ  Ｓｔｉｍｕｌａｔｉｏｎ  ｏｆ  ｔｈｅ  Ｈｕｍａｎ  Ｂｒａｉｎ：  Ｉｎｆｌｕｅｎｃｅ  ｏｆ  Ｓｉｚｅ  ａｎｄ  Ｓｈａｐｅ  ｏｆ  ｔｈｅ  Ｓｔｉｍｕｌａｔｉｎｇ  Ｃｏｉｌ”，  Ｍｏｔｏｒ  Ｄｉｓｔｕｒｂａｎｃｅｓ  ＩＩ，  １９９０，  ３，  ３１−４２
【非特許文献２４】Ｗａｓｓｅｒｍａｎｎ，  Ｅ．Ｍ．，”Ｒｅｐｅｔｉｔｉｖｅ  Ｔｒａｎｓｃｒａｎｉａｌ  Ｍａｇｎｅｔｉｃ  Ｓｔｉｍｕｌａｔｉｏｎ：  Ａｎ  Ｉｎｔｒｏｄｕｃｔｉｏｎ  ａｎｄ  Ｏｖｅｒｖｉｅｗ”，  ＣＮＳ  Ｓｐｅｃｔｒｕｍｓ，  Ｔｈｅ  Ｉｎｔｅｒｎａｔｉｏｎａｌ  Ｊｏｕｒｎａｌ  ｏｆ  Ｎｅｕｒｏｐｓｙｃｈｉａｔｒｉｃ  Ｍｅｄｉｃｉｎｅ，  Ｊａｎｕａｒｙ  １９９７，  ７  ｐａｇｅｓ